(57)【要約】【課題】通信ネットワークに存在するＷｅｂサイト等の情報資源であるリソースの検索や利用方法の知識に乏しい利用者でも、自己が必要とする情報を簡単な操作で取得すること。【解決手段】モバイル端末機２５−１の利用者が複数のＷｅｂサイトに順次アクセスして、必要情報を取得した際のアドレスを含む利用履歴情報に、文字列によるラベルを付け、これをプロセス情報としてプロセス共有サーバ１９へ転送して格納する。他のモバイル端末機２５−２の利用者が必要情報を取得したい場合、その必要情報に関連性のある文字列によるキーワードをサーバ１９へ送信する。サーバ１９において、そのキーワードに一致する文字列を含むラベルが付与されたプロセス情報が存在すれば、当該プロセス情報を他のモバイル端末機２５−２で受信して取得することができるので、利用者は、そのプロセス情報に含まれる利用履歴情報を見ることができる。【選択図】      図１
2005031906.tif 000002
【特許請求の範囲】
【請求項１】
通信ネットワークに存在する情報資源であるリソースにアクセスして情報を取得するためのブラウザにより、所望のリソースにアクセスすることにより利用者の必要情報を取得する情報通信端末装置において、
前記ブラウザにより順次アクセスされた各リソースのアドレスを含む利用履歴情報を格納する履歴格納手段と、
前記履歴格納手段に格納された利用履歴情報に、文字列によるラベルを付けてプロセス情報を作成するラベル登録手段と、
前記ラベル登録手段で作成されたプロセス情報を格納するプロセス格納手段と、
前記プロセス格納手段に格納されたプロセス情報を、サーバ装置へ転送するプロセス転送手段と、
前記プロセス転送手段によるサーバ装置への転送によって当該サーバ装置に格納されたプロセス情報に含まれるラベルの文字列との一致時に、当該プロセス情報を受信することを可能とする文字列によるキーワードをサーバ装置へ送信し、当該サーバ装置からプロセス情報を取得するプロセス取得手段と
を備えたことを特徴とする情報通信端末装置。
【請求項２】
前記プロセス取得手段で取得された前記プロセス情報に含まれる利用履歴情報のアドレスのリソースに、前記ブラウザがアクセスして必要情報を取得し、この取得された必要情報を利用者が認識可能に出力する制御を行うプロセス実行手段
を更に備えたことを特徴とする請求項１に記載の情報通信端末装置。
【請求項３】
前記ラベル及び前記キーワードの文字列は、自然言語による文字列である
ことを特徴とする請求項１または２に記載の情報通信端末装置。
【請求項４】
前記履歴格納手段は、前記利用履歴情報に、前記ブラウザが各リソースへアクセスした際の利用時刻及び、各リソースへの滞在時間の少なくとも１つを更に含めて格納する
ことを特徴とする請求項１から３の何れか１項に記載の情報通信端末装置。
【請求項５】
前記ラベル登録手段は、前記利用履歴情報に含まれる各アドレスの順序変更及び削除の少なくとも１つの修正を行ったのち前記ラベルを付ける
ことを特徴とする請求項１から４の何れか１項に記載の情報通信端末装置。
【請求項６】
前記プロセス転送手段は、前記プロセス情報を前記サーバ装置へ転送する際に、当該情報通信端末装置の利用者の固有情報であるユーザプロファイル情報を、当該利用者の指示操作に応じて共に転送する
ことを特徴とする請求項１から５の何れか１項に記載の情報通信端末装置。
【請求項７】
前記サーバ装置から取得された前記プロセス情報にもとづく前記リソースへのアクセスによって取得された情報が、当該利用者の目的にどの程度適合していたかを示す適合度情報を、当該利用者の指示操作に応じて前記サーバ装置へ転送するプロセス適合度登録手段
を更に備えたことを特徴とする請求項１から６の何れか１項に記載の情報通信端末装置。
【請求項８】
当該情報通信端末装置の緯度／経度による位置を示す位置情報を取得し、この位置情報を前記履歴格納手段に格納される前記利用履歴情報に含める位置情報取得手段
を更に備えたことを特徴とする請求項１から７の何れか１項に記載の情報通信端末装置。
【請求項９】
情報通信端末装置と通信を行い、当該情報通信端末装置がブラウザにより通信ネットワークに存在する情報資源であるリソースにアクセスした際の当該リソースのアドレスを受信して登録すると共に、この登録されたアドレスを他の情報通信端末装置からの取得要求に応じて送信するプロセス共有サーバ装置において、
情報通信端末装置により順次アクセスされた各リソースのアドレスを含む利用履歴情報に、文字列によるラベルが付けられたプロセス情報を、当該情報通信端末装置から受信して格納する格納手段と、
前記格納手段に格納されたプロセス情報を取得するための文字列によるキーワードを情報通信端末装置から受信した際に、前記キーワードと一致する文字列を含むラベルが付けられたプロセス情報を、前記格納手段から検索する検索手段と、
前記検索手段で検索されたプロセス情報を、前記キーワードの送信元の情報通信端末装置へ送信する出力手段と
を備えたことを特徴とするプロセス共有サーバ装置。
【請求項１０】
前記格納手段は、情報通信端末装置が前記リソースへアクセスした際の利用時刻と、当該情報通信端末装置の利用者の固有情報であるユーザプロファイル情報と、当該プロセス共有サーバ装置から取得された前記プロセス情報にもとづくリソースへのアクセスによって取得された情報が、情報通信端末装置の利用者の目的にどの程度適合していたかを示す適合度情報との少なくとも１つを受信した際に、この受信情報を属性情報として該当プロセス情報に対応付けて格納し、
前記検索手段は、前記キーワードに一致する文字列を含むラベルが複数存在する際に、この複数のプロセス情報に対応付けられた属性情報中の利用時刻及びユーザプロファイル情報と、前記キーワードの送信元の情報通信端末装置における利用時刻及びユーザプロファイル情報との合致度に、当該属性情報中の適合度情報を加味して重み付けを行い、この重みの大きいプロセス情報を検索する
ことを特徴とする請求項９に記載のプロセス共有サーバ装置。
【発明の詳細な説明】
【０００１】
【発明の属する技術分野】
本発明は、インターネットや通信事業者網等のネットワークに存在するＷｅｂサイト等の情報資源であるリソースを、利用者が、インターネット接続可能な携帯電話機、ＰＨＳ（ＰｅｒｓｏｎａｌＨａｎｄｙｐｈｏｎｅ  Ｓｙｓｔｅｍ）、無線通信カードを備えたＰＤＡ（Ｐｅｒｓｏｎａｌ  Ｄｉｇｉｔａｌ  Ａｓｓｉｓｔａｎｃｅ）等のモバイル端末機又はパーソナルコンピュータによって容易に利用することが可能な情報通信端末装置及びプロセス共有サーバ装置に関する。
【０００２】
【従来の技術】
従来、モバイル端末機からインターネット上のリソースにアクセスして必要な情報を取得するために、次の代表的な３種類の方法が提供されていた。
（１）ＩＳＰ（（ＩｎｔｅｒｎｅｔＳｅｒｖｉｃｅｓ  Ｐｒｏｖｉｄｅｒ）が提供するディレクトリ階層を辿りながら目的のリソースを検索する。
（２）検索エンジンに必要とするリソースに含まれるキーワードを入力して一覧を得る。
（３）直接インターネットにおけるリソースの住所に当たるＵＲＬ（Ｕｎｉｆｏｒｍ  Ｒｅｓｏｕｒｃｅ  Ｌｏｃａｔｏｒ）を指定する。
【０００３】
また、（２）の方法については、下記特許文献１に記載のものがある。この内容は、データ通信可能な複数のコンピュータ端末（移動端末機を含む）から成るコンピュータネットワーク上において、利用者側のコンピュータ端末と所定の情報サイト（Ｗｅｂサイト）とをリンクする方法である。即ち、情報サイトを特定可能なアドレスデータと、その情報サイトに関連するキーワードとを対応付けて記憶しておく。利用者側のコンピュータ端末から、利用者が所望する情報サイトに対応したキーワードを受付け、この受付けたキーワードに対応するアドレスデータを、先に記憶されたアドレスデータより抽出し、この抽出したアドレスデータの情報サイトと利用者側のコンピュータ端末とをリンクさせる。
【０００４】
これによって、利用者が所望する情報サイトに対応するキーワードを入力するのみで、利用者側のコンピュータ端末と入力されたキーワードに対応するアドレスデータの情報サイトとがリンクするようになり、従来のように分かりづらいアドレスデータを入力せずとも、所望の情報サイトへ容易にアクセスできるようになっている。
【０００５】
【特許文献１】
特開２００２−１２３５４２号公報（要約書、特許請求の範囲、発明の効果）
【０００６】
【発明が解決しようとする課題】
しかし、上記特許文献１の内容においては、情報サイトを特定可能なアドレスデータと、その情報サイトに関連するキーワードとを対応付けて記憶しておき、コンピュータ端末から利用者が所望とする情報サイトに対応したキーワードを送信し、このキーワードに対応する記憶アドレスデータの情報サイトを検索することによって、所望の情報サイトと利用者のコンピュータ端末とをリンクさせる点に特徴がある。
【０００７】
つまり、１つのキーワードに対して１つの情報サイトが対応付けられているので、仮に利用者が必要とする情報（必要情報）に関連するキーワードによって情報サイトを検索した場合に、この検索情報サイトの内容が必ずしも必要情報であるとは限らない。このように、必要情報が異なった場合、別のキーワードで再度検索を行い、それでも異なる場合、同様の検索を必要情報の表記情報サイトが見つかるまで繰り返さなければならないので、情報サイト検索（リソース検索）のための操作が煩雑となるという問題がある。
【０００８】
更に、そのように別のキーワードで検索を繰り返してゆく過程で、利用者が思いつくキーワードが無くなった場合、必要情報が結局見つからないといった不具合を招く問題がある。
また、上述した（１）の方法では、ＩＳＰが情報を整理して階層化しているが、この階層を表現するキーワードが必ずしも利用者が認識する概念とは一致しない。このため、利用するディレクトリ階層に対する知識がない利用者にとっては、目的とするリソースがどの階層下に位置しているのか分からず、順次、関連がありそうな上位階層を辿りながら検索を繰り返す必要がある。この階層構造を辿るためには、その都度、Ｗｅｂページの内容を確認しながら検索を進める必要があるので、操作性や表現力が限定されたモバイル端末機においては、特に利用者の操作上の負担が大きくなるという問題がある。
【０００９】
また、上述の（３）の方法では、確実に必要とするリソースを獲得することができるが、利用者は、必要とするリソースのＵＲＬを事前に知っておく必要がある。ＵＲＬを知る方法としては、ＴＶや雑誌、新聞等のマスメディアを介して入手する方法、又は家族や知人などの人的ネットワークを介して入手する方法などが考えられる。
【００１０】
この様な利用形態は、主に携帯電話機を積極的に利用しようという意欲の高い若年層が中心となっている。しかし、携帯電話機に代表されるコンシューマ機器の利用者はパーソナルコンピュータ等の利用者に比べて、若年層から高年層まで幅広い年齢層に跨っており、特にリソースの検索や利用方法の知識に乏しい人が多い高年齢層にとっては簡単な操作で必要とするリソースを検索することが困難であるという問題がある。
【００１１】
本発明は、このような課題に鑑みてなされたものであり、通信ネットワークに存在するＷｅｂサイト等の情報資源であるリソースの検索や利用方法の知識に乏しい利用者でも、自己が必要とする情報を簡単な操作で取得することができる情報通信端末装置及びプロセス共有サーバ装置を提供することを目的としている。
【００１２】
【課題を解決するための手段】
上記目的を達成するために、本発明の請求項１による情報通信端末装置は、通信ネットワークに存在する情報資源であるリソースにアクセスして情報を取得するためのブラウザにより、所望のリソースにアクセスすることにより利用者の必要情報を取得する情報通信端末装置において、前記ブラウザにより順次アクセスされた各リソースのアドレスを含む利用履歴情報を格納する履歴格納手段と、前記履歴格納手段に格納された利用履歴情報に、文字列によるラベルを付けてプロセス情報を作成するラベル登録手段と、前記ラベル登録手段で作成されたプロセス情報を格納するプロセス格納手段と、前記プロセス格納手段に格納されたプロセス情報を、サーバ装置へ転送するプロセス転送手段と、前記プロセス転送手段によるサーバ装置への転送によって当該サーバ装置に格納されたプロセス情報に含まれるラベルの文字列との一致時に、当該プロセス情報を受信することを可能とする文字列によるキーワードをサーバ装置へ送信し、当該サーバ装置からプロセス情報を取得するプロセス取得手段とを備えたことを特徴としている。
【００１３】
この構成によれば、情報通信端末装置の利用者が複数のリソースに順次アクセスして、必要情報を取得した際のアドレスを含む利用履歴情報に、文字列によるラベルを付け、これをプロセス情報としてサーバ装置へ転送する。これによってサーバ装置にプロセス情報が格納されることになる。次に、他の情報通信端末装置の利用者が必要情報を取得したい場合に、その必要情報に関連性のある文字列によるキーワードをサーバ装置へ送信する。サーバ装置において、そのキーワードに一致する文字列を含むラベルが付与されたプロセス情報が存在すれば、当該プロセス情報を他の情報通信端末装置で受信して取得することができる。これによって、他の情報通信端末装置の利用者は、そのプロセス情報に含まれる利用履歴情報を見ることができるので、リソースの検索や利用方法の知識が乏しくても、その利用履歴情報中の複数のリソースのアドレスにアクセスすれば、容易に自分の必要情報を得ることができる。
【００１４】
また、本発明の請求項２による情報通信端末装置は、請求項１において、前記プロセス取得手段で取得された前記プロセス情報に含まれる利用履歴情報のアドレスのリソースに、前記ブラウザがアクセスして必要情報を取得し、この取得された必要情報を利用者が認識可能に出力する制御を行うプロセス実行手段を更に備えたことを特徴としている。
【００１５】
この構成によれば、ある情報通信端末装置の利用者が必要情報を取得したい場合に、その必要情報に関連性のある文字列によるキーワードをサーバ装置へ送信することによって、キーワードとラベルとの文字列の一致時にサーバ装置から受信されるプロセス情報をもとに、自動的にリソースへのアクセスが行われ、必要情報が取得されるので、リソースの検索や利用方法の知識が乏しくても、容易に必要情報を取得して表示したり音声出力したりする等、利用者が認識可能なようにすることができる。
【００１６】
また、本発明の請求項３による情報通信端末装置は、請求項１または２において、前記ラベル及び前記キーワードの文字列は、自然言語による文字列であることを特徴としている。
この構成によれば、利用者が必要情報に関連性のある自然言語やイメージ可能な自然言語によって利用履歴情報にラベルを付けてプロセス情報としてサーバ装置へ格納し、この格納されたプロセス情報を必要とする他の利用者が、上記同様に自然言語によって該当プロセス情報を取得することができる。このことから、利用者の必要情報をより的確に取得することが可能となる。
【００１７】
また、本発明の請求項４による情報通信端末装置は、請求項１から３の何れか１項において、前記履歴格納手段は、前記利用履歴情報に、前記ブラウザが各リソースへアクセスした際の利用時刻及び、各リソースへの滞在時間の少なくとも１つを更に含めて格納することを特徴としている。
この構成によれば、サーバ装置からプロセス情報を取得した利用者が、そのプロセス情報に含まれる滞在時間を確認することによって、そのプロセス情報を登録した他の利用者が、リソースの情報を、どの位の時間参照したかを把握することができる。つまり、参照時間が長ければ、そのリソースの情報が他の利用者にとって役立ったと推定することもできるので、取得利用者が、サーバ装置から取得したプロセス情報のうち最初に、滞在時間の長いリソースへアクセスを行えば、より短時間で効率良く、必要情報を有するリソースへアクセスすることが可能となる。
【００１８】
また、リソースの情報が、電車時刻などの改版される情報であった場合、過去の古い情報であればあるほど不要な情報となることもある。このようなことに鑑みると、利用者は、取得したプロセス情報に含まれる利用時刻が取得時刻に近いほどに、最新情報と判断することができるので、効率良く必要情報を得ることができる。
また、本発明の請求項５による情報通信端末装置は、請求項１から４の何れか１項において、前記ラベル登録手段は、前記利用履歴情報に含まれる各アドレスの順序変更及び削除の少なくとも１つの修正を行ったのち前記ラベルを付けることを特徴としている。
【００１９】
この構成によれば、利用者がサーバ装置にプロセス情報を転送する際に、当該利用者がアクセスを行った各リソースへの順序を、当該リソースの情報を必要とする他の利用者が参照する際に、極力短時間で効率よく参照できる順序に変更することができる。また、実際にアクセスを行って参照したが、不要であったリソースの情報を削除することができるので、上記同様に、他の利用者が用いる際に、極力短時間で効率よく参照できる内容に変更することが可能となる。
【００２０】
また、本発明の請求項６による情報通信端末装置は、請求項１から５の何れか１項において、前記プロセス転送手段は、前記プロセス情報を前記サーバ装置へ転送する際に、当該情報通信端末装置の利用者の固有情報であるユーザプロファイル情報を、当該利用者の指示操作に応じて共に転送することを特徴としている。
【００２１】
この構成によれば、ユーザプロファイル情報は、利用者の任意の指示操作に応じてサーバ装置へプロセス情報と共に転送されるが、ここで仮に転送されたとする。この場合、利用者がサーバ装置から必要なプロセス情報を取得する際に、当該利用者と、そのプロセス情報をサーバ装置に登録した利用者との双方のユーザプロファイル情報の相関性が高ければ、そのプロセス情報は、これを取得する利用者にとって有用な情報である確率が高くなるので、有効なプロセス情報の取得を行うことができるようになる。
【００２２】
また、本発明の請求項７による情報通信端末装置は、請求項１から６の何れか１項において、前記サーバ装置から取得された前記プロセス情報にもとづく前記リソースへのアクセスによって取得された情報が、当該利用者の目的にどの程度適合していたかを示す適合度情報を、当該利用者の指示操作に応じて前記サーバ装置へ転送するプロセス適合度登録手段を更に備えたことを特徴としている。
【００２３】
この構成によれば、情報通信端末装置の利用者がサーバ装置からプロセス情報を取得するためにキーワードを送信した際に、サーバ装置において、そのキーワードに対応するラベルのプロセス情報が複数存在する際に、各プロセス情報の適合度情報の高いものは、これを取得する利用者にとって有用な情報である確率が高くなるので、有効なプロセス情報の取得を行うことができるようになる。
【００２４】
また、本発明の請求項８による情報通信端末装置は、請求項１から７の何れか１項において、当該情報通信端末装置の緯度／経度による位置を示す位置情報を取得し、この位置情報を前記履歴格納手段に格納される前記利用履歴情報に含める位置情報取得手段を更に備えたことを特徴としている。
この構成によれば、結果的にプロセス情報に位置情報が含まれ、サーバ装置へ転送されることになるので、情報通信端末装置からキーワードが送信された際に、サーバ装置において、そのキーワードに対応するラベルのプロセス情報が複数存在する場合、あるプロセス情報の位置情報が、キーワード送信元の通信端末装置の位置に近いことを示す情報である場合、これを取得する利用者にとって有用な情報である確率が高くなるので、有効なプロセス情報の取得を行うことができるようになる。
【００２５】
また、本発明の請求項９によるプロセス共有サーバ装置は、情報通信端末装置と通信を行い、当該情報通信端末装置がブラウザにより通信ネットワークに存在する情報資源であるリソースにアクセスした際の当該リソースのアドレスを受信して登録すると共に、この登録されたアドレスを他の情報通信端末装置からの取得要求に応じて送信するプロセス共有サーバ装置において、情報通信端末装置により順次アクセスされた各リソースのアドレスを含む利用履歴情報に、文字列によるラベルが付けられたプロセス情報を、当該情報通信端末装置から受信して格納する格納手段と、前記格納手段に格納されたプロセス情報を取得するための文字列によるキーワードを情報通信端末装置から受信した際に、前記キーワードと一致する文字列を含むラベルが付けられたプロセス情報を、前記格納手段から検索する検索手段と、前記検索手段で検索されたプロセス情報を、前記キーワードの送信元の情報通信端末装置へ送信する出力手段とを備えたことを特徴としている。
【００２６】
この構成によれば、情報通信端末装置が複数のリソースに順次アクセスして必要情報を取得した際のアドレスを含む利用履歴情報に、文字列によるラベルが付けられて成るプロセス情報が、プロセス共有サーバ装置で受信されて格納される。他の情報通信端末装置の利用者が必要情報を取得したい場合に、その必要情報に関連性のある文字列によるキーワードをサーバ装置へ送信すれば、プロセス共有サーバ装置において、そのキーワードに一致する文字列を含むラベルが付与されたプロセス情報が存在すれば、当該プロセス情報が他の情報通信端末装置へ送信されるので、他の情報通信端末装置の利用者は、そのプロセス情報に含まれる利用履歴情報を見ることができる。従って、リソースの検索や利用方法の知識が乏しくても、その利用履歴情報中の複数のリソースのアドレスにアクセスすれば、容易に自分の必要情報を得ることができる。
【００２７】
また、本発明の請求項１０によるプロセス共有サーバ装置は、請求項９において、前記格納手段は、情報通信端末装置が前記リソースへアクセスした際の利用時刻と、当該情報通信端末装置の利用者の固有情報であるユーザプロファイル情報と、当該プロセス共有サーバ装置から取得された前記プロセス情報にもとづくリソースへのアクセスによって取得された情報が、情報通信端末装置の利用者の目的にどの程度適合していたかを示す適合度情報との少なくとも１つを受信した際に、この受信情報を属性情報として該当プロセス情報に対応付けて格納し、前記検索手段は、前記キーワードに一致する文字列を含むラベルが複数存在する際に、この複数のプロセス情報に対応付けられた属性情報中の利用時刻及びユーザプロファイル情報と、前記キーワードの送信元の情報通信端末装置における利用時刻及びユーザプロファイル情報との合致度に、当該属性情報中の適合度情報を加味して重み付けを行い、この重みの大きいプロセス情報を検索することを特徴としている。
【００２８】
この構成によれば、プロセス共有サーバ装置からプロセス情報を取得するための１キーワードに複数のラベルが対応する場合、この複数のプロセス情報に対応付けられた属性情報によって重み付けを行い、重みの大きいプロセス情報を検索して要求元の情報通信端末装置へ送信するようにしたので、情報通信端末装置の利用者によって適正なプロセス情報を送信することができる。
【００２９】
【発明の実施の形態】
以下、本発明の実施の形態を、図面を参照して説明する。
（第１の実施の形態）
図１は、本発明の第１の実施の形態に係るモバイル端末機（情報通信端末装置）及びプロセス共有サーバを用いた通信システムの構成を示す図である。
図１に示す通信システムは、インターネット１１と、無線通信サービスを提供する通信事業者が運営する通信事業者網１３と、これらのインターネット１１又は通信事業者網１３に接続された複数のＣＰ（コンテンツプロバイダ）サーバ１５−１〜１５−ｎ及びゲートウェイサーバ１７と、このゲートウェイサーバ１７に接続されたプロセス共有サーバ１９と、図示せぬ無線基地局からの電波による無線パケット網２３を介してゲートウェイサーバ１７に接続される複数のモバイル端末機２５−１〜２５−ｎとを備えて構成されている。
【００３０】
次に、これらの構成要素の説明を行う。
各ＣＰサーバ１５−１〜１５−ｎは、各モバイル端末機２５−１〜２５−ｎで利用可能な形式のコンテンツ情報を提供するコンテンツプロバイダ企業又は個人のサーバ装置であり、インターネット１１に接続する形態、通信事業者網１３に接続する形態などがある。
【００３１】
各モバイル端末機２５−１〜２５−ｎは、利用者が携帯する無線によるデータ通信機能を持った移動端末機であり、携帯電話機やＰＨＳ、無線通信カードを備えたＰＤＡなどである。
ゲートウェイサーバ１７は、各モバイル端末機２５−１〜２５−ｎから受信したパケットを仲介し、インターネット１１や通信事業者網１３に配置された各ＣＰサーバ１５−１〜１５−ｎと通信を行うプロキシ機能を持ったサーバであり、プロトコル変換等も行うものである。
【００３２】
プロセス共有サーバ１９は、利用者がモバイル端末機（例えば２５−１）において自己の知りたい必要情報を検索した際のＷｅｂブラウザの利用履歴に、自然言語によるラベルを付与したプロセス情報を、ゲートウェイサーバ１７を介して受信したのち記憶し、他の利用者がモバイル端末機（例えば２５−２）で操作入力した自然言語のキーワードによるプロセス情報の取得要求を受信した際に、そのキーワードに対応するプロセス情報を依頼モバイル端末機２５−２へ返信するものである。
【００３３】
なお、ラベル及びキーワードは、ここでは自然言語を前提とするが、自然言語以外の記号や文字、或いはこれらの組み合わせ列など所定の意味づけが行えるものであれば良い。また、必要情報は、インターネット１１又は通信事業者網１３を介して各ＣＰサーバ１５−１〜１５−ｎから提供される。
次に、各モバイル端末機２５−１〜２５−ｎの構成を図２に示し、その詳細な説明を行う。
【００３４】
各モバイル端末機２５ａ〜２５ｅは、Ｗｅｂブラウザ３１と、履歴格納装置３２と、履歴検索装置３３と、ラベル登録装置３４を有するプロセス登録装置３５と、プロセス格納装置３６と、プロセス転送装置３７と、プロセス取得装置３８と、プロセス実行装置３９と、プロセス適合度入力装置４０及びプロセス適合度転送装置４１を有するプロセス適合度登録装置４２とを備えて構成されている。
【００３５】
Ｗｅｂブラウザ３１は、インターネット接続機能を有し、利用者が必要とする情報が掲載されたＷｅｂページ群が存在するＷｅｂサイトを、各ＣＰサーバ１５−１〜１５−ｎから検索し、これを閲覧するためのアプリケーションソフトを有するものである。つまり、Ｗｅｂサイトは、通信ネットワークに存在する情報資源のリソースである。この他、リソースとしてプログラムデータをファイル化した情報資源なども考えられる。
【００３６】
履歴格納装置３２は、当該モバイル端末機において、過去にＷｅｂブラウザ３１でＷｅｂサイトにアクセスしたブラウザ利用履歴情報を記憶して格納するものである。
例えば、図３に示すようにブラウザ利用履歴情報４５をテーブル化して格納する。ブラウザ利用履歴情報４５のテーブルには、過去にアクセスしたページのＵＲＬ（Ｕｎｉｆｏｒｍ  Ｒｅｓｏｕｒｃｅ  Ｌｏｃａｔｏｒ）と、アクセス日時と、滞在時間との３つの情報が記録されるようになっている。滞在時間とは、Ｗｅｂページ取得完了時点から他のＷｅｂページへ遷移するまで、又は、Ｗｅｂブラウザ３１の使用を終了するまでの時間を示すものである。
【００３７】
また、ブラウザ利用履歴情報４５は、アクセス方法を問わず全てのＷｅｂアクセスの履歴を対象とする。即ち、ブラウザ利用履歴情報４５のテーブルには、検索エンジンやポータルサイトのディレクトリ、又は、ＵＲＬの直接入力といった様々なアクセス手段に拘らず、全ての履歴が時系列に沿って記録されるようになっている。
【００３８】
履歴検索装置３３は、履歴格納装置３２からブラウザ利用履歴情報４５を検索するものである。
プロセス登録装置３５は、履歴検索装置３３で検索されたブラウザ利用履歴情報４５の各ＵＲＬが、どの様な状況で使用されたかを登録するための制御を、ラベル登録装置３４との連携によって行うものである。
ラベル登録装置３４は、履歴検索装置３３で検索されたブラウザ利用履歴情報４５の一覧を表示し、複数の履歴を一纏めにしてグループ化するためのラベルの入力を利用者に促す例えば図４に示すラベル登録画面４７を、モバイル端末機のディスプレイに表示するものである。
【００３９】
ラベル登録画面４７には、Ｗｅｂブラウザ３１の起動から終了までを１単位とし、この間に記録された全てのブラウザ利用履歴情報４５が表示されると共に、ラベル登録欄４７ａ、登録釦４７ｂ及び削除釦４７ｃが表示される。また、ブラウザ利用履歴情報４５が表示される際には、図４に示すようにシーケンス番号１，２，３が付けられる。また、利用者は、モバイル端末機の図示せぬ操作キーや削除釦４７ｃによって、ラベル登録画面４７に表示されたブラウザ利用履歴情報４５に対して、順序の変更や削除などの修正を行うことができるようになっている。
【００４０】
ラベル登録欄４７ａには、「終電後の処理」や「出張手続き」といった自然言語による入力が可能であり、これがラベルとなる。
また、ラベル登録装置３４は、プロセス登録装置３５との連携制御によって、上記のようにラベルが入力された後、利用者によって登録釦４７ｂが押下されると、ブラウザ利用履歴情報４５の一群にラベルを対応付け、これをプロセス情報としてプロセス格納装置３６に格納する制御を行う。
【００４１】
プロセス格納装置３６は、ラベル登録装置３４の登録制御に応じてプロセス情報を格納するものである。プロセス情報とは、更に説明すれば、ある利用者が必要情報を見つけるために最初から最後まで順次アクセスしたＷｅｂページ又はＷｅｂサイトのＵＲＬを一纏めにし、これに１つのラベルを対応付けた情報である。
【００４２】
プロセス転送装置３７は、プロセス格納装置３６に格納されたプロセス情報の一覧を利用者に提示し、利用者が指定したプロセス情報をプロセス共有サーバ１９へ送信するものである。この際の通信プロトコルとして、Ｗｅｂブラウザ３１で利用するＨＴＴＰ（Ｈｙｐｅｒ  Ｔｅｘｔ  Ｔｒａｎｓｆｅｒ  Ｐｒｏｔｏｃｏｌ）プロトコルが共用される。また、プロセス情報を送信する際に付加する情報として、ユーザプロファイルが指定可能となっている。ユーザプロファイル情報は、図５に示すように、プロファイル送信確認画面４９を表示し、この画面４９のユーザプロファイル送信指定欄４９ａに所定のチェックが行われ、登録釦４９ｂが押下された場合のみに送信されるようになっている。
【００４３】
プロセス取得装置３８は、利用者がプロセス共有サーバ１９からプロセス情報を取得するためのキーワードを設定する図示せぬプロセス取得要求設定画面を表示し、この画面に利用者が入力したキーワードによる取得要求を、プロセス共有サーバ１９へ送信し、そのキーワードに対応するプロセス情報を取得するものである。なお、取得要求を行う場合にキーワードの他にユーザプロファイルを画面上で指定するようにしてもよい。
【００４４】
プロセス実行装置３９は、プロセス取得装置３８で取得されたプロセス情報に従い、Ｗｅｂブラウザ３１によるリソース検索の実行を制御するものである。この際、プロセス情報に含まれるＵＲＬをシーケンス番号に従い、Ｗｅｂブラウザ３１により表示させる。Ｗｅｂブラウザ３１による表示は、通常のブラウジングと同様とするが、例えば図６のプロセス実行画面５１に示すように、同一画面内に「次へ」と記載したプロセス進行釦５１ａを備える。プロセス進行釦５１ａがユーザにより押下されると、次のシーケンス番号が割り振られたＵＲＬヘアクセスし、符号５１ｂで示すようなＷｅｂコンテンツが表示されるようになっている。
【００４５】
また、次のシーケンス番号が存在しない場合は、プロセス完了を表示して利用者に通知する。更に、プロセス実行画面５１に示すように、プロセス実行中に、利用者にプロセス完了までのトータル時間、及び現在実行中のプロセスの滞在時間の両方を表示するプロセス進行表示部５１ｃが表示されるようになっている。
プロセス適合度登録装置４２は、プロセス実行装置３９によるプロセス実行の結果、即ちリソース検索が、利用者の目的にどの程度合致していたかをプロセス共有サーバ１９に登録するものである。これは、プロセス適合度入力装置４０及びプロセス適合度転送装置４１との連携によって行われる。
【００４６】
プロセス適合度入力装置４０は、プロセス実行装置３９によるプロセス実行完了後に、図７に示すようなプロセス適合度入力画面５３を表示し、利用者に目的の適合度の入力を行わせるプロセス評価欄５３ａと、このプロセス評価欄５３ａに入力されたプロセス適合度情報を送信するための送信釦５３ｂとを表示するものである。
【００４７】
プロセス適合度転送装置４１は、プロセス適合度入力装置４０によって入力されたプロセス適合度情報とプロセスＩＤとを、上記の送信釦５３ｂ押下時にプロセス共有サーバ１９へ送信するものである。プロセスＩＤは、プロセス共有サーバ１９により付与されるＩＤであり、プロセス共有サーバ１９に登録されたプロセス情報を一意に識別するためのものである。
【００４８】
次に、プロセス共有サーバ１９の構成を図８に示し、その詳細な説明を行う。
プロセス共有サーバ１９は、プロセス入力装置６１と、プロセス格納装置６２と、プロセス検索装置６３と、プロセス出力装置６４と、プロセス適合度入力装置６５とを備えて構成されている。
プロセス入力装置６１は、モバイル端末機（例えば２５−１とする）から無線パケット網２３及びゲートウェイサーバ１７を介して送信されてきたプロセス情報を受け取ってプロセス格納装置６２に格納する制御を行うものである。このプロセス入力装置６１は、例えばインターネット上で一般的に使用されているＣＧＩ（Ｃｏｍｍｏｎ  Ｇａｔｅｗａｙ  Ｉｎｔｅｒｆａｃｅ）やＪａｖａ（登録商標）  Ｓｅｒｖｌｅｔの仕組みにより実現される。
【００４９】
プロセス格納装置６２は、プロセス入力装置６１の制御に応じてプロセス情報を格納するものである。このプロセス格納装置６２は、例えば、複数のデータを関連づけ、整理・蓄積し、必要に応じて必要な項目だけを取り出すことのできるリレーショナルデータベースソフト等により実現される。
このように実現されるプロセス格納装置６２には、図９に一例を示す属性テーブル７１と、図１０に一例を示す内容テーブル７２とが記憶されており、各テーブル７１，７２にプロセス情報が分割されて格納されるようになっている。
【００５０】
属性テーブル７１には、「プロセスＩＤ（図９にはＩＤと記載）」、「ラベル」、「利用時刻」、「性別」、「年齢」、「登録日時」、「適合度」の各属性項目の情報が格納される。これらの内、「ラベル」、「利用時刻」、「性別」、「年齢」の各項目は、各モバイル端末機２５−１〜２５−ｎから送信されたプロセス情報に含まれる同項目を格納したものである。
【００５１】
但し、「性別」、「年齢」のユーザプロファイル情報及び「適合度」のプロセス適合度情報は、上述したように利用者が任意に入力するのでプロセス情報に含まれない場合がある。この場合は、それら「性別」、「年齢」、「適合度」の項目には情報が格納されない。
内容テーブル７２には、「プロセスＩＤ」、「シーケンス番号」、「ＵＲＬ」、「滞在時間」の各項目の情報が格納される。この各項目も、各モバイル端末機２５−１〜２５−ｎから送信されたプロセス情報に含まれる同項目を格納したものである。
【００５２】
プロセス検索装置６３は、プロセス出力装置６４で受信された各モバイル端末機２５−１〜２５−ｎからのキーワードに対応するプロセス情報を、プロセス格納装置６２から検索するものである。この検索は次に説明する（１）ラベルによるプロセス集合の取得と、（２）プロセス集合に対する順序付けとの２つのステップにより実行される。
【００５３】
（１）ラベルによるプロセス集合の取得。
利用者によって指定されたキーワード（文字列）と、属性テーブル７１の「ラベル」属性の情報（文字列）とを文字列マッチングし、マッチングした「ラベル」のプロセスＩＤに対応するプロセス情報の集合を取得する。例えば、キーワードが「出張」の場合は、属性テーブル７１のプロセスＩＤ「１」の出張手続きと、プロセスＩＤ「３」の大阪出張とがマッチングするので、２つのプロセス情報が取得されることになる。
【００５４】
（２）プロセス集合に対する順序付け。
上記（１）のステップでは、１つのプロセス情報が取得されることもあるが、上記のように複数のプロセス情報が取得される場合があるので、利用者には、その内の１つを選択して提示する必要がある。このため、（２）のステップで、次の順序付けを行って１つのプロセス情報を選択する。
【００５５】
例えば上記の２つのプロセス情報が取得された場合、双方のプロセス情報の「利用時刻」、「性別」、「年齢」、「適合度」の各属性項目から、利用者の要求条件への合致度に応じて得点（又はポイントという）を求め、この得点が高い方を選択する。なお、同一の属性項目のうち何れか一方のみしか情報が存在しない場合は、得点を与えないものとする。
【００５６】
この得点の与え方は種々の方法が考えられるが、ここでは図１１に示す得点テーブル７４を用いたルールに基づき得点を与えるものとする。
得点テーブル７４は、項目として「利用時刻差」、「年齢差」、「性別一致／不一致」、「適合度」があり、それぞれの度合に応じて得点を求める。「利用時刻差」とは、モバイル端末機からのプロセス情報に含まれるアクセス日時の時刻と、属性テーブル７１の「利用時刻」との差である。「年齢差」とは、モバイル端末機からのユーザプロファイル情報に含まれる年齢と属性テーブル７１の「年齢」との差である。「性別一致／不一致」とは、モバイル端末機からのユーザプロファイル情報に含まれる性別と属性テーブル７１の「性別」との差である。
【００５７】
つまり、得点テーブル７４に示すように、各々の差が少なく且つ性別が一致しているほどに高得点を与え、これに属性テーブル７１に示す「適合度」の得点を加算して、最終的な得点を求める。
例えば、属性テーブル７１の出張手続が８点、大阪出張が７点であった場合は、出張手続を選択し、この出張手続のプロセスＩＤ「１」と対応する内容テーブル７２のプロセスＩＤ「１」の全ての「シーケンス番号」、「ＵＲＬ」及び「滞在時間」の情報を選択する。
【００５８】
即ち、プロセス検索装置６３は、各モバイル端末機２５−１〜２５−ｎからの１キーワードに対応するプロセス情報の検索時に、１キーワードに対応する複数のラベルが検索された場合、それらのラベル毎のプロセス情報に対して、プロセス情報登録利用者の固有情報及びその登録に係る特徴を表す複数の属性情報と、キーワード送信元利用者の固有情報及びキーワード送信に係る特徴を表す情報との合致度から重み付けを行い、その重みの大きいプロセス情報を選択する。
【００５９】
プロセス出力装置６４は、各モバイル端末機２５−１〜２５−ｎからのキーワードを受信してプロセス検索装置６３へ出力すると共に、そのキーワードに応じてプロセス検索装置６３で検索されたプロセス情報を、キーワード送信元のモバイル端末機へ返信するものである。
この返信されたプロセス情報のうち「滞在時間」は、図１０に数値１５，２０，２０，４２で示すように、「ＵＲＬ」と共にモバイル端末機に画面表示されるが、利用者がその「滞在時間」を確認することによって、それを登録した他の利用者が、「ＵＲＬ」を、どの位の時間参照したかを把握する際に役立てることができる。つまり、時間が長ければ、その「ＵＲＬ」が他の利用者にとって役立ったと推定することもできるので、取得利用者が、最初にその「ＵＲＬ」へアクセスを行うといった使用を行うこともできるようになっている。
【００６０】
プロセス適合度入力装置６５は、各モバイル端末機２５−１〜２５−ｎからのプロセス適合度情報を受信し、これをプロセス格納装置６２の属性テーブル７１の「適合度」の所定欄に格納する。また、既にプロセス適合度情報が格納されている場合は、新たに受信したプロセス適合度情報を加算して、その数値を変化させるものである。
【００６１】
次に、このような構成の第１の実施の形態の通信システムにおけるプロセス共有処理の動作を、図１２に示すプロセス共有動作におけるデータの流れを概念的に示した図と、図１３〜図１７に示すフローチャートを参照して説明する。
図１３は、ブラウザ利用履歴の格納処理を説明するためのフローチャートである。まず、図１３に示すステップＳ１において、図１２に示す利用者ａがモバイル端末機２５−１によって、第１のＷｅｂサイト８１へアクセスしたとする。このアクセスは、モバイル端末機２５−１のＷｅｂブラウザ３１の制御によって実行され、図１に示した無線パケット網２３、ゲートウェイサーバ１７（又は通信事業者網１３）及びインターネット１１を介して、例えばＣＰサーバ１５ａへアクセスすることによって行われる。
【００６２】
このアクセスによって第１のＷｅｂサイト８１の情報が、モバイル端末機２５−１へ返信されて画面表示される。
また、ステップＳ２において、その第１のＷｅｂサイト８１へアクセスしたブラウザ利用履歴情報が、履歴格納装置３２に図３に示すようにテーブル化されて格納される。即ち、そのアクセスした第１のＷｅｂサイト８１のＵＲＬと、アクセス日時と、滞在時間との３つの情報が格納される。
【００６３】
この後、ステップＳ３において、Ｗｅｂブラウザ３１の動作が終了したか否かが判断される。言い換えれば、利用者が更に別のＷｅｂサイトへのアクセスを継続したか否かが判断される。継続される場合は、上記ステップＳ１及びＳ２の処理が繰り返される。ここでは、この繰り返しによって、図１２に示す第２〜第４のＷｅｂサイト８２〜８４のブラウザ利用履歴情報４５が、履歴格納装置３２に格納されたとする。この後、ステップＳ３の処理が終了する。
【００６４】
図１４は、モバイル端末機で行われる利用者によるブラウザ利用履歴情報へのラベルの登録及びそのラベル登録によって定義されるプロセス情報のプロセス共有サーバへの転送処理の動作を説明するためのフローチャートである。
図１４のステップＳ２１において、モバイル端末機２５−１で利用者によるラベル登録処理が行われる。これは、まず、履歴検索装置３３によって、履歴格納装置３２からブラウザ利用履歴情報４５が検索される。次に、その検索されたブラウザ利用履歴情報４５の一覧を、シーケンス番号１，２，３を付けて表示するラベル登録画面４７（図４参照）が、ラベル登録装置３４によってディスプレイに表示される。これによって、複数の履歴を一纏めにしてグループ化するためのラベルの入力が利用者に促される。これに応じて、利用者は、グループ化されたブラウザ利用履歴情報に適合した自然言語をラベルとして入力する。
【００６５】
ここで、利用者は必要であれば、ステップＳ２２において、ラベル登録画面４７のブラウザ利用履歴情報の順序の変更や削除などの修正を行う。
この修正後又は修正が不要であれば、上記のようにラベルが入力された後、利用者によってラベル登録画面４７の登録釦４７ｂが押下されると、ラベル登録装置３４との連携によるプロセス登録装置３５の制御によって、ブラウザ利用履歴情報４５の一群に、そのラベルが対応付けられ、これがプロセス情報としてプロセス格納装置３６に格納される。
【００６６】
次に、ステップＳ２３において、利用者が、その格納されたプロセス情報を転送するか否かが判断される。転送しなければ本処理は終了となる。
一方、転送する場合は、ステップＳ２４において、プロセス転送装置３７の制御によって、図５に示すプロファイル送信確認画面４９が表示される。この画面４９のユーザプロファイル送信指定欄４９ａに所定のチェックが行われることによって、ユーザプロファイルが入力されたとする。
【００６７】
この後、ステップＳ２５において、利用者によって、ユーザプロファイルを送信するか否かが判断される。ここで、送信すると判断した利用者によって、登録釦４９ｂが押下されると、ステップＳ２６において、そのユーザプロファイル情報が送信データにセットされる。
そして、ステップＳ２７において、プロセス共有サーバ１９へプロセス情報がユーザプロファイル情報と共に転送される。この様子を図１２に矢印Ｙ１で示す。また、上記ステップＳ２５において、利用者が送信しないと判断すると、上記ステップＳ２７においては、プロセス情報のみが転送され、本処理が終了する。
【００６８】
図１５は、モバイル端末機から送信されてきたプロセス情報をプロセス共有サーバに登録する際の処理の動作を説明するためのフローチャートである。
図１５のステップＳ３１において、プロセス共有サーバ１９がプロセス登録の待ち受け状態である場合に、ステップＳ３２において、モバイル端末機２５−１からのプロセス情報が受信されたか否かが判断される。受信されていなければステップＳ３１に戻る。
【００６９】
一方、プロセス共有サーバ１９のプロセス入力装置６１でプロセス情報が受信された場合は、ステップＳ３３において、その受信プロセス情報の登録処理が行われる。即ち、プロセス入力装置６１の制御によって、受信プロセス情報がプロセス格納装置６２に格納される。
この格納は、受信プロセス情報に含まれる各情報のうち、「ラベル」、「利用時刻」、「性別」、「年齢」の情報が図９に示す属性テーブル７１に格納され、また、「シーケンス番号」、「ＵＲＬ」、「滞在時間」の情報が図１０に示す内容テーブル７２に格納される。
【００７０】
この際、属性テーブル７１において、「ＩＤ」、「登録日時」の各情報は、プロセス入力装置６１の制御によって格納される。また、「適合度」は、後述で説明するように、プロセス情報の登録とは別に登録される。内容テーブル７２における「ＩＤ」の情報も、プロセス入力装置６１によって格納され、本処理が終了する。
【００７１】
図１６は、モバイル端末機におけるプロセス共有サーバからのプロセス情報の取得処理の動作を説明するためのフローチャートである。
図１６のステップＳ４１において、他のモバイル端末機２５−２のプロセス取得装置３８によって、プロセス取得要求設定画面が表示されると、ステップＳ４２において、利用者により画面にプロセス情報を取得するためのキーワードが設定される。また、必要に応じて、ステップＳ４３において、同画面にユーザプロファイル等の検索属性情報が設定される。
【００７２】
この後、ステップＳ４４において、プロセス取得要求を送信するか否かが判断される。送信する場合は、ステップＳ４５において、プロセス取得要求がプロセス共有サーバ１９へ送信される。また、上記ステップＳ４４において送信されないと判断された場合は、本処理が終了する。
図１７は、プロセス共有サーバにおいてモバイル端末機からのプロセス取得要求に応じたプロセス情報の返信処理の動作を説明するためのフローチャートである。
【００７３】
図１７のステップＳ５１において、プロセス共有サーバ１９がプロセス取得要求の待ち受け状態である場合に、ステップＳ５２において、プロセス出力装置６４でプロセス取得要求が受信されたか否かが判断される。受信されていなければステップＳ５１に戻る。
一方、プロセス出力装置６４でプロセス取得要求である例えばキーワードが受信されたと判断されると、ステップＳ５３においてプロセス検索処理が行われる。即ち、プロセス検索装置６３によって、プロセス格納装置６２から受信キーワードに対応するプロセス情報が検索される。この検索は、まず、利用者によって指定されたキーワード（文字列）と、属性テーブル７１の「ラベル」属性の情報（文字列）とが文字列マッチングされ、マッチングした「ラベル」のプロセスＩＤに対応する１つのプロセス情報又は複数のプロセス情報が取得される。
【００７４】
例えば、受信キーワードが「出張」の場合は、属性テーブル７１のプロセスＩＤ「１」の出張手続きと、プロセスＩＤ「３」の大阪出張とがマッチングするので、２つのプロセス情報が取得される。
次に、その２つのプロセス情報の「利用時刻」、「性別」、「年齢」、「適合度」の各属性項目から、利用者の要求条件への合致度に応じて得点が求められ、この得点が高い方のプロセス情報が、前述で説明したように選択される。例えば、属性テーブル７１の出張手続が選択された場合、この出張手続のプロセスＩＤ「１」と対応する内容テーブル７２のプロセスＩＤ「１」の全ての「シーケンス番号」、「ＵＲＬ」及び「滞在時間」のプロセス情報が選択（検索）される。
【００７５】
そして、ステップＳ５４において、その検索されたプロセス情報が、プロセス出力装置６４によってキーワード送信元のモバイル端末機２５−２へ返信され、本処理が終了する。
図１８は、モバイル端末機２５−２において、プロセス共有サーバ１９から取得されたプロセス情報に基づくプロセス実行処理及びその実行の評価であるプロセス適合度の送信処理の動作を説明するためのフローチャートである。
図１８のステップＳ６１において、プロセス実行装置３９によりプロセス実行が行われる、これは、図１２に矢印Ｙ２で示すように、プロセス取得装置３８で取得されたプロセス共有サーバ１９からのプロセス情報に従い、Ｗｅｂブラウザ３１によるＷｅｂサイトの検索が実行される。
【００７６】
ここで、その取得プロセス情報に含まれる図１０の各シーケンス番号が割り振られたＵＲＬが、図１２に示す第１〜第４のＷｅｂサイト８１〜８４に対応しているものとする。
上記のＷｅｂサイト検索の実行の際、Ｗｅｂブラウザ３１の制御により、図６に示すようなプロセス実行画面５１が表示される。最初に符号５１ｂで示すような、シーケンス番号「１」のＵＲＬの第１のＷｅｂサイト８１のコンテンツが表示される。そして、利用者によって、プロセス進行釦５１ａが押下される度に、シーケンス番号順に割り振られたＵＲＬヘのアクセスが行われ、Ｗｅｂコンテンツが表示される。
【００７７】
ここで、ステップＳ６２において、プロセス実行が完了したか否かが判断される。完了したと判断される場合は、プロセス進行釦５１ａの押下によって、次のシーケンス番号が存在しない場合に、プロセス実行画面５１にプロセス完了が表示される場合である。また、プロセス実行中には、プロセス実行画面５１のプロセス進行表示部５１ｃに、プロセス完了までのトータル時間、及び現在実行中のプロセスの滞在時間の両方が表示されるので、利用者は、それを確認することによって、プロセス実行の進行状態を判断することができる。
【００７８】
プロセス実行が完了すると、ステップＳ６３において、プロセス適合度入力装置４０で、図７に示すプロセス適合度入力画面５３が表示される。ここで、利用者は、プロセス評価欄５３ａに任意にプロセス適合度を入力する。
ステップＳ６４において、プロセス適合度が入力されたか否かが判断される。入力された場合は、ステップＳ６５において、プロセス適合度が送信される。即ち、プロセス適合度転送装置４１によって、プロセス適合度入力装置４０によって入力されたプロセス適合度情報と、このプロセス適合度を評価したプロセス情報にプロセス共有サーバ１９で付けられたプロセスＩＤとが、送信釦５３ｂが押下されることによって、プロセス共有サーバ１９へ送信される。これにて本処理が終了する。
【００７９】
図１９は、プロセス共有サーバ１９におけるモバイル端末機２５−２からのプロセス適合度の登録処理の動作を説明するためのフローチャートである。
図１９のステップＳ７１において、プロセス共有サーバ１９がプロセス適合度登録待ち受け状態である場合に、ステップＳ７２において、プロセス適合度入力装置６５でモバイル端末機２５−２からのプロセス適合度情報が受信されたか否かが判断される。受信されていなければステップＳ７１に戻る。
【００８０】
一方、受信された場合は、ステップＳ７３において、プロセス適合度入力装置６５により、受信プロセス適合度情報がプロセス格納装置６２の属性テーブル７１の「適合度」の所定欄に格納される。この際、既にプロセス適合度情報が格納されている場合は、新たに受信したプロセス適合度情報が加算され、プロセス適合度の数値が増減する。これにて全てのプロセス共有処理が終了する。
【００８１】
このように、第１の実施の形態のモバイル端末機及びプロセス共有サーバを用いた通信システムによれば、モバイル端末機２５−１の利用者が複数のＷｅｂサイトに順次アクセスして、必要情報を取得した際のアドレスを含む利用履歴情報に、文字列によるラベルを付け、これをプロセス情報としてプロセス共有サーバ１９へ転送する。これによってプロセス共有サーバ１９にプロセス情報が格納される。次に、他のモバイル端末機２５−２の利用者が必要情報を取得したい場合に、その必要情報に関連性のある文字列によるキーワードをプロセス共有サーバ１９へ送信する。プロセス共有サーバ１９において、そのキーワードに一致する文字列を含むラベルが付与されたプロセス情報が存在すれば、当該プロセス情報を他のモバイル端末機２５−２で受信して取得することができる。これによって、他のモバイル端末機２５−２の利用者は、そのプロセス情報に含まれる利用履歴情報を見ることができる。
【００８２】
従って、通信ネットワークに存在するＷｅｂサイト等の情報資源であるリソースの検索や利用方法の知識に乏しい利用者でも、自己が必要とする情報を簡単な操作で取得することができる
また、あるモバイル端末機２５−１の利用者が必要情報を取得したい場合に、その必要情報に関連性のある文字列によるキーワードをプロセス共有サーバ１９へ送信することによって、キーワードとラベルとの文字列の一致時にプロセス共有サーバ１９から受信されるプロセス情報をもとに、自動的にＷｅｂサイトへのアクセスが行われ、必要情報が取得されるようにしたので、Ｗｅｂサイトの検索や利用方法の知識が乏しくても、容易に必要情報を取得して表示したり音声出力したりする等、利用者が認識可能なようにすることができる。
【００８３】
また、ラベル及びキーワードの文字列を、自然言語による文字列としたので、利用者が必要情報に関連性のある自然言語やイメージ可能な自然言語によって利用履歴情報にラベルを付けてプロセス情報としてプロセス共有サーバ１９へ格納し、この格納されたプロセス情報を必要とする他の利用者が、上記同様に自然言語によって該当プロセス情報を取得することができる。このことから、利用者の必要情報をより的確に取得することが可能となる。
【００８４】
また、利用履歴情報に、Ｗｅｂブラウザ３１が各Ｗｅｂサイトへアクセスした際の利用時刻及び、各Ｗｅｂサイトへの滞在時間の少なくとも１つを更に含めるようにしたので、プロセス共有サーバ１９からプロセス情報を取得した利用者が、そのプロセス情報に含まれる滞在時間を確認することによって、そのプロセス情報を登録した他の利用者が、Ｗｅｂサイトの情報を、どの位の時間参照したかを把握することができる。つまり、参照時間が長ければ、そのＷｅｂサイトの情報が他の利用者にとって役立ったと推定することもできるので、取得利用者が、プロセス共有サーバ１９から取得したプロセス情報のうち最初に、滞在時間の長いＷｅｂサイトへアクセスを行えば、より短時間で効率良く、必要情報を有するＷｅｂサイトへアクセスすることが可能となる。
【００８５】
また、Ｗｅｂサイトの情報が、電車時刻などの改版される情報であった場合、過去の古い情報であればあるほど不要な情報となることもある。このようなことに鑑みると、利用者は、取得したプロセス情報に含まれる利用時刻が取得時刻に近いほどに、最新情報と判断することができるので、効率良く必要情報を得ることができる。
【００８６】
また、利用履歴情報に含まれる各アドレスの順序変更及び削除の少なくとも１つの修正を行ったのちラベルを付けるようにしたので、利用者がプロセス共有サーバ１９にプロセス情報を転送する際に、当該利用者がアクセスを行った各Ｗｅｂサイトへの順序を、当該Ｗｅｂサイトの情報を必要とする他の利用者が参照する際に、極力短時間で効率よく参照できる順序に変更することができる。また、実際にアクセスを行って参照したが、不要であったＷｅｂサイトの情報を削除することができるので、上記同様に、他の利用者が用いる際に、極力短時間で効率よく参照できる内容に変更することが可能となる。
【００８７】
また、プロセス情報をプロセス共有サーバ１９へ転送する際に、当該モバイル端末機の利用者の固有情報であるユーザプロファイル情報を、当該利用者の指示操作に応じて共に転送するようにした。この場合、利用者がプロセス共有サーバ１９から必要なプロセス情報を取得する際に、当該利用者と、そのプロセス情報をプロセス共有サーバ１９に登録した利用者との双方のユーザプロファイル情報の相関性が高ければ、そのプロセス情報は、これを取得する利用者にとって有用な情報である確率が高くなるので、有効なプロセス情報の取得を行うことができるようになる。
【００８８】
また、プロセス共有サーバ１９から取得されたプロセス情報にもとづくＷｅｂサイトへのアクセスによって取得された情報が、当該利用者の目的にどの程度適合していたかを示す適合度情報を、当該利用者の指示操作に応じてプロセス共有サーバ１９へ転送するようにした。これによって、モバイル端末機２５−２の利用者がプロセス共有サーバ１９からプロセス情報を取得するためにキーワードを送信した際に、プロセス共有サーバ１９において、そのキーワードに対応するラベルのプロセス情報が複数存在する際に、各プロセス情報の適合度情報の高いものは、これを取得する利用者にとって有用な情報である確率が高くなるので、有効なプロセス情報の取得を行うことができるようになる。
【００８９】
また、プロセス共有サーバ１９において、モバイル端末機２５−１がＷｅｂサイトへアクセスした際の利用時刻と、当該モバイル端末機２５−１の利用者の固有情報であるユーザプロファイル情報と、当該プロセス共有サーバ１９から取得されたプロセス情報にもとづくＷｅｂサイトへのアクセスによって取得された情報が、モバイル端末機の利用者の目的にどの程度適合していたかを示す適合度情報との少なくとも１つを受信した際に、この受信情報を属性情報として該当プロセス情報に対応付けて格納する。そして、キーワードに一致する文字列を含むラベルが複数存在する際に、この複数のプロセス情報に対応付けられた属性情報中の利用時刻及びユーザプロファイル情報と、キーワードの送信元のモバイル端末機２５−２における利用時刻及びユーザプロファイル情報との合致度に、当該属性情報中の適合度情報を加味して重み付けを行い、この重みの大きいプロセス情報を検索するようにした。
【００９０】
つまり、プロセス共有サーバ１９からプロセス情報を取得するための１キーワードに複数のラベルが対応する場合、この複数のプロセス情報に対応付けられた属性情報によって重み付けを行い、重みの大きいプロセス情報を検索して要求元のモバイル端末機２５−２へ送信するようにしたので、モバイル端末機２５−２の利用者によって適正なプロセス情報を送信することができる。
【００９１】
但し、以上の第１の実施の形態では、情報通信端末装置としてモバイル端末機２５−１〜２５−ｎを例に挙げて説明したが、据え置き型のパーソナルコンピュータ等のコンピュータであっても同様の効果を得ることができる。
（第２の実施の形態）
図２０は、本発明の第２の実施の形態に係るモバイル端末機（情報通信端末装置）及びプロセス共有サーバを用いた通信システムの構成を示す図である。
【００９２】
但し、図２０に示す第２の実施の形態の通信システムにおいて、図１に示した第１の実施の形態の通信システムの各部に対応する部分には同一符号を付し、その説明を省略する。
第２の実施の形態が、第１の実施の形態と異なる点は、図２０に示すプロセス共有サーバ１９ａと、各モバイル端末機２５−１ａ〜２５−ｎａとが、モバイル端末機の位置情報を用いてプロセス共有処理を行うことにある。以下、第１の実施の形態との相違点を中心に説明する。
【００９３】
図２１に示す各モバイル端末機２５−１ａ〜２５−ｎａが、図２に示した各モバイル端末機２５−１〜２５−ｎと異なる点は、位置情報取得装置９１を更に備え、また、履歴格納装置３２ａと、ラベル登録装置３４ａを有するプロセス登録装置３５ａと、プロセス転送装置３７ａと、プロセス取得装置３８ａとの各々が、位置情報に係る処理を行う機能を更に備えたことにある。
【００９４】
位置情報取得装置９１は、自モバイル端末機２５−１ａ〜２５−ｎａの緯度／経度による位置を示す位置情報を取得するものである。位置情報の取得は、例えばＧＰＳ（Ｇｌｏｂａｌ  Ｐｏｓｉｔｉｏｎｉｎｇ  Ｓｙｓｔｅｍ）を使用して行うことができる。
履歴格納装置３２ａは、上述の履歴格納装置３２の機能の他に、図２２に示すように、位置情報を加えたブラウザ利用履歴情報４５ａをテーブル化して格納するものである。
【００９５】
プロセス登録装置３５ａは、履歴検索装置３３で検索されたブラウザ利用履歴情報４５ａの各ＵＲＬが、どの様な状況で使用されたかを登録するための制御を、ラベル登録装置３４ａとの連携によって行うものである。
ラベル登録装置３４ａは、上述のプロセス登録装置３５の機能の他に、図４に示したラベル登録画面４７に位置情報が表示されている場合に、その変更や削除などの修正を行う。
【００９６】
プロセス転送装置３７ａは、上述のプロセス転送装置３７の機能の他に、プロセス情報を送信する際に付加する情報として、位置情報を指定することが可能となっている。
プロセス取得装置３８ａは、上述のプロセス取得装置３８の機能の他に、図示せぬプロセス取得要求設定画面に利用者が入力したキーワードによる取得要求を、プロセス共有サーバ１９ａへ送信し、そのキーワードに対応するプロセス情報を取得する場合、その取得要求を行うキーワードの他に、位置情報及びユーザプロファイルの何れか一方、又は双方を画面上で指定するようになっている。
【００９７】
次に、図２３に示すプロセス共有サーバ１９ａが、図８に示したプロセス共有サーバ１９と異なる点は、プロセス格納装置６２ａと、プロセス検索装置６３ａとが、位置情報に係る処理を行う機能を更に備えたことにある。
プロセス格納装置６２ａは、上述のプロセス格納装置６２の機能の他に、図２４に示すように、「位置情報」を更に加えた属性テーブル７１ａと、既に図１０に示した内容テーブル７２とを記憶し、各テーブル７１ａ，７２にプロセス情報が分割されて格納されるようになっている。
【００９８】
即ち、属性テーブル７１ａには、「プロセスＩＤ（図２４にはＩＤと記載）」、「ラベル」、「位置情報」、「利用時刻」、「性別」、「年齢」、「登録日時」、「適合度」の各属性項目の情報が格納される。これらの内、「ラベル」、「位置情報」、「利用時刻」、「性別」、「年齢」の各項目は、各モバイル端末機２５−１ａ〜２５−ｎａから送信されたプロセス情報に含まれる同項目を格納したものである。
【００９９】
但し、「位置情報」、「性別」、「年齢」及び「適合度」は、上述したように利用者が任意に入力するのでプロセス情報に含まれない場合がある。この場合は、それら「位置情報」、「性別」、「年齢」、「適合度」の項目には情報が格納されない。
プロセス検索装置６３ａは、上述のプロセス検索装置６３と同様に、（１）ラベルによるプロセス集合の取得と、（２）プロセス集合に対する順序付けとの２つのステップを実行するが、（２）のステップの処理が異なる。
【０１００】
例えば、（１）ラベルによるプロセス集合の取得において、属性テーブル７１ａのプロセスＩＤ「１」の出張手続きと、プロセスＩＤ「３」の大阪出張との２つのプロセス情報が取得されたとする。
（２）プロセス集合に対する順序付けでは、次の順序付けを行って１つのプロセス情報を選択する。上記の２つのプロセス情報が取得された場合、双方のプロセス情報の「位置情報」、「利用時刻」、「性別」、「年齢」、「適合度」の各属性項目から、利用者の要求条件への合致度に応じて得点（又はポイントという）を求め、この得点が高い方を選択する。なお、同一の属性項目のうち何れか一方のみしか情報が存在しない場合は、得点を与えないものとする。
【０１０１】
この得点の与え方は種々の方法が考えられるが、ここでは図２５に示す得点テーブル７４ａを用いたルールに基づき得点を与えるものとする。
得点テーブル７４ａは、項目として「位置情報差」、「利用時刻差」、「年齢差」、「性別一致／不一致」、「適合度」があり、それぞれの度合に応じて得点を求める。「位置情報差」とは、モバイル端末機からのプロセス情報に含まれる位置情報と、属性テーブル７１ａの「位置情報」との差である。
この得点テーブル７４ａを用いて、何れかのプロセス情報を選択する処理は第１の実施の形態で説明したと同様である。
次に、このような構成の第２の実施の形態の通信システムにおけるプロセス共有処理の動作を、第１の実施の形態でと同様に図１２〜図１７を参照して説明する。
【０１０２】
まず、図１３に示すステップＳ１において、図１２に示す利用者ａがモバイル端末機２５−１ａによって、第１のＷｅｂサイト８１へアクセスしたとする。このアクセスによって第１のＷｅｂサイト８１の情報が、モバイル端末機２５−１ａへ返信されて画面表示される。
また、ステップＳ２において、その第１のＷｅｂサイト８１へアクセスしたブラウザ利用履歴情報が、履歴格納装置３２ａに図２２に示すようにテーブル化されて格納される。即ち、そのアクセスした第１のＷｅｂサイト８１のＵＲＬと、アクセス日時と、滞在時間、位置情報との４つの情報が格納される。
【０１０３】
この後、ステップＳ３において、Ｗｅｂブラウザ３１の動作が終了したか否かが判断される。言い換えれば、利用者が更に別のＷｅｂサイトへのアクセスを継続したか否かが判断される。継続される場合は、上記ステップＳ１及びＳ２の処理が繰り返される。ここでは、この繰り返しによって、図１２に示す第２〜第４のＷｅｂサイト８２〜８４のブラウザ利用履歴情報４５ａが、履歴格納装置３２ａに格納されたとする。この後、本処理が終了する。
【０１０４】
次に、図１４のステップＳ２１において、モバイル端末機２５−１ａで利用者によるラベル登録処理が行われる。まず、履歴検索装置３３によって、履歴格納装置３２ａからブラウザ利用履歴情報４５ａが検索される。次に、その検索されたブラウザ利用履歴情報４５ａの一覧を、シーケンス番号１，２，３を付けて表示するラベル登録画面４７（図４参照）が、ラベル登録装置３４ａによってディスプレイに表示される。これによって、複数の履歴を一纏めにしてグループ化するためのラベルの入力が利用者に促される。これに応じて、利用者は、グループ化されたブラウザ利用履歴情報に適合した自然言語をラベルとして入力する。
【０１０５】
ここで、利用者は必要であれば、ステップＳ２２において、ラベル登録画面４７のブラウザ利用履歴情報の順序の変更や削除などの修正を行う。この際、位置情報についても必要に応じて修正を行う。
この修正後又は修正が不要であれば、上記のようにラベルが入力された後、利用者によってラベル登録画面４７の登録釦４７ｂが押下されると、ラベル登録装置３４ａとの連携によるプロセス登録装置３５ａの制御によって、ブラウザ利用履歴情報４５ａの一群に、そのラベルが対応付けられ、これがプロセス情報としてプロセス格納装置３６に格納される。
【０１０６】
次に、ステップＳ２３において、利用者が、その格納されたプロセス情報を転送するか否かが判断される。転送しなければ本処理は終了となる。
一方、転送する場合は、ステップＳ２４において、プロセス転送装置３７ａの制御によって、図５に示すプロファイル送信確認画面４９が表示される。この画面４９のユーザプロファイル送信指定欄４９ａに所定のチェックが行われることによって、ユーザプロファイルが入力されたとする。
【０１０７】
この後、ステップＳ２５において、利用者によって、ユーザプロファイルを送信するか否かが判断される。ここで、送信すると判断した利用者によって、登録釦４９ｂが押下されると、ステップＳ２６において、そのユーザプロファイル情報が送信データにセットされる。
そして、ステップＳ２７において、プロセス共有サーバ１９ａへプロセス情報がユーザプロファイル情報と共に転送される。この様子を図１２に矢印Ｙ１で示す。また、上記ステップＳ２５において、利用者が送信しないと判断すると、上記ステップＳ２７においては、プロセス情報のみが転送され、本処理が終了する。
【０１０８】
次に、図１５のステップＳ３１において、プロセス共有サーバ１９ａがプロセス登録の待ち受け状態である場合に、ステップＳ３２において、モバイル端末機２５−１ａからのプロセス情報が受信されたか否かが判断される。受信されていなければステップＳ３１に戻る。
一方、プロセス共有サーバ１９ａのプロセス入力装置６１でプロセス情報が受信された場合は、ステップＳ３３において、その受信プロセス情報の登録処理が行われる。即ち、プロセス入力装置６１の制御によって、受信プロセス情報がプロセス格納装置６２ａに格納される。
【０１０９】
この格納は、受信プロセス情報に含まれる各情報のうち、「ラベル」、「位置情報」、「利用時刻」、「性別」、「年齢」の情報が図２４に示す属性テーブル７１ａに格納され、また、「シーケンス番号」、「ＵＲＬ」、「滞在時間」の情報が図１０に示す内容テーブル７２に格納される。
この際、属性テーブル７１ａにおいて、「ＩＤ」、「登録日時」の各情報は、プロセス入力装置６１の制御によって格納される。また、「適合度」は、後述で説明するように、プロセス情報の登録とは別に登録される。内容テーブル７２における「ＩＤ」の情報も、プロセス入力装置６１によって格納され、本処理が終了する。
【０１１０】
次に、図１６のステップＳ４１において、他のモバイル端末機２５−２ａのプロセス取得装置３８ａによって、プロセス取得要求設定画面が表示されると、ステップＳ４２において、利用者により画面にプロセス情報を取得するためのキーワードが設定される。また、必要に応じて、ステップＳ４３において、同画面にユーザプロファイル等の検索属性情報が設定される。
【０１１１】
この後、ステップＳ４４において、プロセス取得要求を送信するか否かが判断される。送信する場合は、ステップＳ４５において、プロセス取得要求がプロセス共有サーバ１９ａへ送信される。また、上記ステップＳ４４において送信されないと判断された場合は、本処理が終了する。
次に、図１７のステップＳ５１において、プロセス共有サーバ１９ａがプロセス取得要求の待ち受け状態である場合に、ステップＳ５２において、プロセス出力装置６４でプロセス取得要求が受信されたか否かが判断される。受信されていなければステップＳ５１に戻る。
【０１１２】
一方、プロセス出力装置６４でプロセス取得要求である例えばキーワードが受信されたと判断されると、ステップＳ５３においてプロセス検索処理が行われる。即ち、プロセス検索装置６３ａによって、プロセス格納装置６２ａから受信キーワードに対応するプロセス情報が検索される。この検索は、まず、利用者によって指定されたキーワード（文字列）と、属性テーブル７１ａの「ラベル」属性の情報（文字列）とが文字列マッチングされ、マッチングした「ラベル」のプロセスＩＤに対応する１つのプロセス情報又は複数のプロセス情報が取得される。
【０１１３】
例えば、受信キーワードが「出張」の場合は、属性テーブル７１ａのプロセスＩＤ「１」の出張手続きと、プロセスＩＤ「３」の大阪出張とがマッチングするので、２つのプロセス情報が取得される。
次に、その２つのプロセス情報の「利用時刻」、「性別」、「年齢」、「適合度」の各属性項目から、利用者の要求条件への合致度に応じて得点が求められ、この得点が高い方のプロセス情報が、前述で説明したように選択される。例えば、属性テーブル７１ａの出張手続が選択された場合、この出張手続のプロセスＩＤ「１」と対応する内容テーブル７２のプロセスＩＤ「１」の全ての「シーケンス番号」、「ＵＲＬ」及び「滞在時間」のプロセス情報が選択（検索）される。
【０１１４】
そして、ステップＳ５４において、その検索されたプロセス情報が、プロセス出力装置６４によってキーワード送信元のモバイル端末機２５−２ａへ返信され、本処理が終了する。
次に、図１８のステップＳ６１において、プロセス実行装置３９によりプロセス実行が行われる、これは、図１２に矢印Ｙ２で示すように、プロセス取得装置３８ａで取得されたプロセス共有サーバ１９ａからのプロセス情報に従い、Ｗｅｂブラウザ３１によるＷｅｂサイトの検索が実行される。
【０１１５】
ここで、その取得プロセス情報に含まれる図１０の各シーケンス番号が割り振られたＵＲＬが、図１２に示す第１〜第４のＷｅｂサイト８１〜８４に対応しているものとする。
上記のＷｅｂサイト検索の実行の際、Ｗｅｂブラウザ３１の制御により、図６に示すようなプロセス実行画面５１が表示される。最初に符号５１ｂで示すような、シーケンス番号「１」のＵＲＬの第１のＷｅｂサイト８１のコンテンツが表示される。そして、利用者によって、プロセス進行釦５１ａが押下される度に、シーケンス番号順に割り振られたＵＲＬヘのアクセスが行われ、Ｗｅｂコンテンツが表示される。
【０１１６】
ここで、ステップＳ６２において、プロセス実行が完了したか否かが判断される。完了したと判断される場合は、プロセス進行釦５１ａの押下によって、次のシーケンス番号が存在しない場合に、プロセス実行画面５１にプロセス完了が表示される場合である。また、プロセス実行中には、プロセス実行画面５１のプロセス進行表示部５１ｃに、プロセス完了までのトータル時間、及び現在実行中のプロセスの滞在時間の両方が表示されるので、利用者は、それを確認することによって、プロセス実行の進行状態を判断することができる。
【０１１７】
プロセス実行が完了すると、ステップＳ６３において、プロセス適合度入力装置４０で、図７に示すプロセス適合度入力画面５３が表示される。ここで、利用者は、プロセス評価欄５３ａに任意にプロセス適合度を入力する。
ステップＳ６４において、プロセス適合度が入力されたか否かが判断される。入力された場合は、ステップＳ６５において、プロセス適合度が送信される。即ち、プロセス適合度転送装置４１によって、プロセス適合度入力装置４０によって入力されたプロセス適合度情報と、このプロセス適合度を評価したプロセス情報にプロセス共有サーバ１９ａで付けられたプロセスＩＤとが、送信釦５３ｂが押下されることによって、プロセス共有サーバ１９ａへ送信される。これにて本処理が終了する。
【０１１８】
次に、図１９のステップＳ７１において、プロセス共有サーバ１９ａがプロセス適合度登録待ち受け状態である場合に、ステップＳ７２において、プロセス適合度入力装置６５でモバイル端末機２５−２ａからのプロセス適合度情報が受信されたか否かが判断される。受信されていなければステップＳ７１に戻る。
一方、受信された場合は、ステップＳ７３において、プロセス適合度入力装置６５により、受信プロセス適合度情報がプロセス格納装置６２ａの属性テーブル７１ａの「適合度」の所定欄に格納される。この際、既にプロセス適合度情報が格納されている場合は、新たに受信したプロセス適合度情報が加算され、プロセス適合度の数値が増減する。これにて全てのプロセス共有処理が終了する。
【０１１９】
このように、第２の実施の形態のモバイル端末機及びプロセス共有サーバを用いた通信システムによれば、モバイル端末機２５−１ａの位置情報取得装置９１によって、当該モバイル端末機２５−１ａの緯度／経度による位置を示す位置情報を取得し、この位置情報を履歴格納装置３２ａに格納される利用履歴情報に含める。
【０１２０】
この結果、プロセス情報に位置情報が含まれ、プロセス共有サーバ１９ａへ転送されることになるので、モバイル端末機２５−２ａからキーワードが送信された際に、プロセス共有サーバ１９ａにおいて、そのキーワードに対応するラベルのプロセス情報が複数存在する場合、あるプロセス情報の位置情報が、キーワード送信元モバイル端末機２５−２ａの位置に近いことを示す情報である場合、これを取得する利用者にとって有用な情報である確率が高くなる。従って、上記第１の実施の形態よりも、更に有効なプロセス情報の取得を行うことができるようになる。
【０１２１】
【発明の効果】
以上説明したように本発明は、情報通信端末装置の利用者が複数のリソースに順次アクセスして、必要情報を取得した際のアドレスを含む利用履歴情報に、文字列によるラベルを付け、これをプロセス情報としてサーバ装置へ転送する。これによってサーバ装置にプロセス情報が格納される。次に、他の情報通信端末装置の利用者が必要情報を取得したい場合に、その必要情報に関連性のある文字列によるキーワードをサーバ装置へ送信する。サーバ装置において、そのキーワードに一致する文字列を含むラベルが付与されたプロセス情報が検索された際に、このプロセス情報を他の情報通信端末装置へ送信する。これによって、他の情報通信端末装置の利用者は、そのプロセス情報に含まれる利用履歴情報を見みて、必要なリソースへアクセスすることができる。
従って、通信ネットワークに存在するＷｅｂサイト等の情報資源であるリソースの検索や利用方法の知識に乏しい利用者でも、自己が必要とする情報を簡単な操作で取得することができるという効果がある。
【図面の簡単な説明】
【図１】本発明の第１の実施の形態に係るモバイル端末機（情報通信端末装置）及びプロセス共有サーバを用いた通信システムの構成を示すブロック図である。
【図２】第１の実施の形態に係るモバイル端末機の構成を示すブロック図である。
【図３】第１の実施の形態に係るモバイル端末機の履歴格納装置にテーブル化して格納されたブラウザ利用履歴情報を示す図である。
【図４】第１の実施の形態に係るモバイル端末機のラベル登録装置により表示されるラベル登録画面を示す図である。
【図５】第１の実施の形態に係るモバイル端末機のプロセス転送装置により表示されるプロファイル送信確認画面を示す図である。
【図６】第１の実施の形態に係るモバイル端末機のプロセス実行装置により表示されるプロセス実行画面を示す図である。
【図７】第１の実施の形態に係るモバイル端末機のプロセス適合度入力装置により表示されるプロセス適合度入力画面を示す図である。
【図８】第１の実施の形態に係るプロセス共有サーバの構成を示すブロック図である。
【図９】第１の実施の形態に係るプロセス共有サーバのプロセス格納装置に格納される属性テーブルを示す図である。
【図１０】第１の実施の形態に係るプロセス共有サーバのプロセス格納装置に格納される内容テーブルを示す図である。
【図１１】第１の実施の形態に係るプロセス共有サーバのプロセス検索装置が検索時に用いる得点テーブルを示す図である。
【図１２】第１又は第２の実施の形態に係る通信システムのプロセス共有動作におけるデータの流れを概念的に示した図である。
【図１３】第１又は第２の実施の形態に係るモバイル端末機におけるブラウザ利用履歴の格納処理を説明するためのフローチャートである。
【図１４】第１又は第２の実施の形態に係るモバイル端末機で行われる利用者によるブラウザ利用履歴情報へのラベルの登録及びそのラベル登録によって定義されるプロセス情報のプロセス共有サーバへの転送処理の動作を説明するためのフローチャートである。
【図１５】第１又は第２の実施の形態に係るプロセス共有サーバにおいて、モバイル端末機から送信されてきたプロセス情報を登録する処理の動作を説明するためのフローチャートである。
【図１６】第１又は第２の実施の形態に係るモバイル端末機におけるプロセス共有サーバからのプロセス情報の取得処理の動作を説明するためのフローチャートである。
【図１７】第１又は第２の実施の形態に係るプロセス共有サーバにおいて、モバイル端末機からのプロセス取得要求に応じたプロセス情報の返信処理の動作を説明するためのフローチャートである。
【図１８】第１又は第２の実施の形態に係るモバイル端末機において、プロセス共有サーバから取得されたプロセス情報に基づくプロセス実行処理及びその実行の評価であるプロセス適合度の送信処理の動作を説明するためのフローチャートである。
【図１９】第１又は第２の実施の形態に係るプロセス共有サーバにおけるモバイル端末機からのプロセス適合度の登録処理の動作を説明するためのフローチャートである。
【図２０】本発明の第２の実施の形態に係るモバイル端末機（情報通信端末装置）及びプロセス共有サーバを用いた通信システムの構成を示すブロック図である。
【図２１】第２の実施の形態に係るモバイル端末機の構成を示すブロック図である。
【図２２】第２の実施の形態に係るモバイル端末機の履歴格納装置にテーブル化して格納されたブラウザ利用履歴情報を示す図である。
【図２３】第２の実施の形態に係るプロセス共有サーバの構成を示すブロック図である。
【図２４】第２の実施の形態に係るプロセス共有サーバのプロセス格納装置に格納される属性テーブルを示す図である。
【図２５】第２の実施の形態に係るプロセス共有サーバのプロセス検索装置が検索時に用いる得点テーブルを示す図である。
【符号の説明】
１１  インターネット
１３  通信事業者網
１５−１〜１５−ｎ  ＣＰサーバ
１７  ゲートウェイサーバ
１９，１９ａ  プロセス共有サーバ
２３  無線パケット網
２５−１〜２５−ｎ，２５−１ａ〜２５−ｎａ  モバイル端末機
３１  Ｗｅｂブラウザ
３２，３２ａ  履歴格納装置
３３  履歴検索装置
３４，３４ａ  ラベル登録装置
３５，３５ａ  プロセス登録装置
３６  プロセス格納装置
３７，３７ａ  プロセス転送装置
３８，３８ａ  プロセス取得装置
３９  プロセス実行装置
４０  プロセス適合度入力装置
４１  プロセス適合度転送装置
４２  プロセス適合度登録装置
４５，４５ａ  ブラウザ利用履歴情報
４７  ラベル登録画面
４７ａ  ラベル登録欄
４７ｂ  登録釦
４７ｃ  削除釦
４９  プロファイル送信確認画面
４９ａ  ユーザプロファイル送信指定欄
４９ｂ  登録釦
５１  プロセス実行画面
５１ａ  プロセス進行釦
５１ｂ  Ｗｅｂコンテンツ
５３  プロセス適合度入力画面
５３ａ  プロセス評価欄
５３ｂ  送信釦
６１  プロセス入力装置
６２，６２ａ  プロセス格納装置
６３，６３ａ  プロセス検索装置
６４  プロセス出力装置
６５  プロセス適合度入力装置
７１，７１ａ  属性テーブル
７２  内容テーブル
７４，７４ａ  得点テーブル
８１  第１のＷｅｂサイト
８２  第２のＷｅｂサイト
８３  第３のＷｅｂサイト
８４  第４のＷｅｂサイト
【図１】
2005031906.tif 000003
【図２】
2005031906.tif 000004
【図３】
2005031906.tif 000005
【図４】
2005031906.tif 000006
【図５】
2005031906.tif 000007
【図６】
2005031906.tif 000008
【図７】
2005031906.tif 000009
【図８】
2005031906.tif 000010
【図９】
2005031906.tif 000011
【図１０】
2005031906.tif 000012
【図１１】
2005031906.tif 000013
【図１２】
2005031906.tif 000014
【図１３】
2005031906.tif 000015
【図１４】
2005031906.tif 000016
【図１５】
2005031906.tif 000017
【図１６】
2005031906.tif 000018
【図１７】
2005031906.tif 000019
【図１８】
2005031906.tif 000020
【図１９】
2005031906.tif 000021
【図２０】
2005031906.tif 000022
【図２１】
2005031906.tif 000023
【図２２】
2005031906.tif 000024
【図２３】
2005031906.tif 000025
【図２４】
2005031906.tif 000026
【図２５】
2005031906.tif 000027